【手続補正書】
【提出日】平成18年8月28日(2006.8.28)
【手続補正１】
【補正対象書類名】明細書
【補正対象項目名】特許請求の範囲
【補正方法】変更
【補正の内容】
【特許請求の範囲】
【請求項１】
接続される電力線の電圧変動を補償する電圧変動補償装置であって、
それぞれ異なる大きさのエネルギが蓄積される複数のエネルギ蓄積手段を有し、それぞれ前記蓄積されたエネルギを電圧として出力する複数の電圧補償回路と、
前記複数のエネルギ蓄積手段のそれぞれの検出電圧値を出力する電圧検出器と、
前記複数の電圧補償回路を制御して、前記電圧変動を補償する所定値の補償電圧を出力させる制御回路と
を備え、
前記複数の電圧補償回路は直列に接続され、
前記制御回路は、前記複数のエネルギ蓄積手段のそれぞれの検出電圧値と、前記電圧変動から得られる目標電圧値とに基づいて、前記複数の電圧補償回路の出力を組み合わせて前記所定値の補償電圧を出力させること
を特徴とする電圧変動補償装置。
【請求項２】
接続される電力線の電圧変動を補償する電圧変動補償装置であって、
それぞれ異なる大きさのエネルギが蓄積される複数のエネルギ蓄積手段を有し、それぞれ前記蓄積されたエネルギを電圧として出力する複数の電圧補償回路と、
前記複数のエネルギ蓄積手段のそれぞれの予測電圧値を出力する予測電圧回路と、
前記複数の電圧補償回路を制御して、前記電圧変動を補償する所定値の補償電圧を出力させる制御回路と
を備え、
前記複数の電圧補償回路は直列に接続され、
前記制御回路は、前記複数のエネルギ蓄積手段のそれぞれの予測電圧値と、前記電圧変動から得られる目標電圧値とに基づいて、前記複数の電圧補償回路の出力を組み合わせて前記所定値の補償電圧を出力させること
を特徴とする電圧変動補償装置。
【請求項３】
前記予測電圧回路は、
一の前記電圧補償回路から電圧が出力されている期間、前記電力線に供給される系統電流の電流値を積算した積算値を出力する積算回路と、
前記一のエネルギ蓄積手段の設定蓄積容量から前記積算値を減算した前記予測電圧値を出力する減算回路と
を備えることを特徴とする請求項２に記載の電圧補償装置。
【請求項４】
前記制御回路は、
エネルギ蓄積容量が大きな前記エネルギ蓄積手段から順に、前記検出電圧値または前記予測電圧値と、前記目標電圧値とに基づいて、前記複数の電圧補償回路を組み合わせて前記所定値の補償電圧を出力させること
を特徴とする請求項１から３のいずれか１項に記載の電圧変動補償装置。
【請求項５】
前記制御回路は、
一の前記エネルギ蓄積手段の検出電圧値または予測電圧値が、前記目標電圧値よりも小さい場合、
前記一のエネルギ蓄積手段の次に比較するエネルギ蓄積手段の検出電圧値または予測電圧値と、前記目標電圧値とを比較し、
一の前記エネルギ蓄積手段の検出電圧値または予測電圧値が、前記目標電圧値よりも大きい場合、前記一のエネルギ蓄積手段を有する前記電圧補償回路から電圧を出力させ、かつ、前記一のエネルギ蓄積手段の次に比較するエネルギ蓄積手段の検出電圧値または予測電圧値と、前記目標電圧値から前記一のエネルギ蓄積手段の検出電圧値または予測電圧値を減算した電圧値とを比較すること
を特徴とする請求項４に記載の電圧変動補償装置。
【請求項６】
所定の大きさのエネルギが蓄積されるエネルギ蓄積手段を有し、前記蓄積されたエネルギを電圧として出力するサグ電圧補償回路を備え、
前記制御回路は、前記複数の電圧補償回路のいずれかの電圧補償回路から出力される電圧の値が所定値以下となる場合、前記いずれかの電圧補償回路と前記サグ電圧補償回路とが電圧を出力するよう制御すること
を特徴とする請求項１から５のいずれか１項に記載の電圧変動補償装置。
【請求項７】
前記複数の電圧補償回路が出力可能な電圧の総和値は、前記電力線の電圧変動の最大値以上であること
を特徴とする請求項１から５のいずれか１項に記載の電圧変動補償装置。
【請求項８】
前記複数の電圧補償回路が出力する電圧値は、最小の電圧値の絶対値に対して、それぞれ略２Ｋ倍（Ｋは０以上の整数）であること
を特徴とする請求項１から７のいずれか１項に記載の電圧変動補償装置。
【請求項９】
前記各エネルギ蓄積手段のエネルギ値は、蓄積電圧が高いほど小さいこと
を特徴とする請求項１から８のいずれか１項に記載の電圧変動補償装置。
【請求項１０】
前記複数の電圧補償回路のうち、最も出力電圧の値が小さい電圧補償回路から出力される電圧値が所定の電圧値よりも大きく、かつ、前記所定の電圧値が、前記目標電圧値から前記補償電圧の値を減算した値よりも小さい場合、
前記制御回路は、前記最も値が小さい出力電圧が前記補償電圧に加えられるよう制御すること
を特徴とする請求項１から９のいずれか１項に記載の電圧変動補償装置。
【手続補正２】
【補正対象書類名】明細書
【補正対象項目名】０００５
【補正方法】変更
【補正の内容】
【０００５】
【課題を解決するための手段】
この発明に係る電圧変動補償装置は、
接続される電力線の電圧変動を補償する電圧変動補償装置であって、
それぞれ異なる大きさのエネルギが蓄積される複数のエネルギ蓄積手段を有し、それぞれ前記蓄積されたエネルギを電圧として出力する複数の電圧補償回路と、
前記複数のエネルギ蓄積手段のそれぞれの検出電圧値を出力する電圧検出器と、
前記複数の電圧補償回路を制御して、前記電圧変動を補償する所定値の補償電圧を出力させる制御回路と
を備え、
前記複数の電圧補償回路は直列に接続され、
前記制御回路は、前記複数のエネルギ蓄積手段のそれぞれの検出電圧値と、前記電圧変動から得られる目標電圧値とに基づいて、前記複数の電圧補償回路の出力を組み合わせて前記所定値の補償電圧を出力させること
としたものである。
【手続補正３】
【補正対象書類名】明細書
【補正対象項目名】０００６
【補正方法】変更
【補正の内容】
【０００６】
また、この発明に係る電圧変動補償装置は、
接続される電力線の電圧変動を補償する電圧変動補償装置であって、
それぞれ異なる大きさのエネルギが蓄積される複数のエネルギ蓄積手段を有し、それぞれ前記蓄積されたエネルギを電圧として出力する複数の電圧補償回路と、
前記複数のエネルギ蓄積手段のそれぞれの予測電圧値を出力する予測電圧回路と、
前記複数の電圧補償回路を制御して、前記電圧変動を補償する所定値の補償電圧を出力させる制御回路と
を備え、
前記複数の電圧補償回路は直列に接続され、
前記制御回路は、前記複数のエネルギ蓄積手段のそれぞれの予測電圧値と、前記電圧変動から得られる目標電圧値とに基づいて、前記複数の電圧補償回路の出力を組み合わせて前記所定値の補償電圧を出力させること
としたものである。
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００５５
【補正方法】変更
【補正の内容】
【００５５】
【発明の効果】
以上のようにこの発明に係る電圧変動補償装置は、接続される電力線の電圧変動を補償する電圧変動補償装置であって、それぞれ異なる大きさのエネルギが蓄積される複数のエネルギ蓄積手段を有し、それぞれ前記蓄積されたエネルギを電圧として出力する複数の電圧補償回路と、前記複数のエネルギ蓄積手段のそれぞれの検出電圧値を出力する電圧検出器と、前記複数の電圧補償回路を制御して、前記電圧変動を補償する所定値の補償電圧を出力させる制御回路とを備え、前記複数の電圧補償回路は直列に接続され、前記制御回路は、前記複数のエネルギ蓄積手段のそれぞれの検出電圧値と、前記電圧変動から得られる目標電圧値とに基づいて、前記複数の電圧補償回路の出力を組み合わせて前記所定値の補償電圧を出力させることとしたため、エネルギ蓄積手段の電圧状態に応じた、きめ細かい高精度な電圧補償が可能になる。
【手続補正１６】
【補正対象書類名】明細書
【補正対象項目名】００５６
【補正方法】変更
【補正の内容】
【００５６】
またこの発明に係る電圧変動補償装置は、接続される電力線の電圧変動を補償する電圧変動補償装置であって、それぞれ異なる大きさのエネルギが蓄積される複数のエネルギ蓄積手段を有し、それぞれ前記蓄積されたエネルギを電圧として出力する複数の電圧補償回路と、前記複数のエネルギ蓄積手段のそれぞれの予測電圧値を出力する予測電圧回路と、前記複数の電圧補償回路を制御して、前記電圧変動を補償する所定値の補償電圧を出力させる制御回路とを備え、前記複数の電圧補償回路は直列に接続され、前記制御回路は、前記複数のエネルギ蓄積手段のそれぞれの予測電圧値と、前記電圧変動から得られる目標電圧値とに基づいて、前記複数の電圧補償回路の出力を組み合わせて前記所定値の補償電圧を出力させることとしたため、エネルギ蓄積手段の電圧状態に応じた、きめ細かい高精度な電圧補償が可能になる。
【手続補正１７】
【補正対象書類名】明細書
【補正対象項目名】００５７
【補正方法】削除
【補正の内容】
【手続補正１８】
【補正対象書類名】明細書
【補正対象項目名】００５８
【補正方法】削除
【補正の内容】
【手続補正１９】
【補正対象書類名】明細書
【補正対象項目名】００５９
【補正方法】削除
【補正の内容】
【手続補正２０】
【補正対象書類名】明細書
【補正対象項目名】００６０
【補正方法】削除
【補正の内容】
【手続補正２１】
【補正対象書類名】明細書
【補正対象項目名】００６１
【補正方法】削除
【補正の内容】
【手続補正２２】
【補正対象書類名】明細書
【補正対象項目名】００６２
【補正方法】削除
【補正の内容】
【手続補正２３】
【補正対象書類名】明細書
【補正対象項目名】００６３
【補正方法】削除
【補正の内容】
【手続補正２４】
【補正対象書類名】明細書
【補正対象項目名】００６４
【補正方法】削除
【補正の内容】
【手続補正２５】
【補正対象書類名】明細書
【補正対象項目名】００６５
【補正方法】削除
【補正の内容】
【手続補正２６】
【補正対象書類名】明細書
【補正対象項目名】００６６
【補正方法】削除
【補正の内容】
【手続補正２７】
【補正対象書類名】明細書
【補正対象項目名】００６７
【補正方法】削除
【補正の内容】